(57)【要約】      （修正有）【課題】ドアポケット内の収納空間を有効利用可能な冷蔵庫を提供する。【解決手段】冷蔵庫のドアポケット２０は、容器の底部を構成する底板２１と、容器の周囲を構成する周板２２と、を有し、周板２２は、扉の幅方向に伸び、ドアポケット２０の冷蔵庫本体側の面を構成する冷蔵庫本体側領域と、扉の幅方向と交差する方向に伸び、ドアポケット２０の左右の両端側の面を構成する左右の側部領域２２２と、左右の側部領域２２２のうち少なくとも一方と冷蔵庫本体側領域２２１との間に介在し、冷蔵庫本体側領域２２１及び側部領域２２２の両方に対して傾斜又は湾曲しているコーナー部領域２２３と、を有する。ドアポケット２０は、扉に対して垂直方向に伸び、ドアポケット２０の内部を仕切ることで、側部領域２２２の一方とコーナー部領域２２３の少なくとも一部とを外周面に含むように構成された収容部を形成する第１仕切り部２３を有している。【選択図】図３
2020091062.tif 000002
【特許請求の範囲】
【請求項１】
前面開口部を有する冷蔵庫本体と、
ヒンジを支点に回動し、前記前面開口部を開閉する扉と、
前記扉の前記冷蔵庫本体側に設けられ容器状に構成されたドアポケットと、を有し、
前記ドアポケットは、容器の底部を構成する底板と、容器の周囲を構成する周板と、を有し、
前記周板は、
前記扉の幅方向に伸び、前記ドアポケットの前記冷蔵庫本体側の面を構成する冷蔵庫本体側領域と、
前記扉の幅方向と交差する方向に伸び、前記ドアポケットの左右の両端側の面を構成する左右の側部領域と、
前記左右の側部領域のうち少なくとも一方と前記冷蔵庫本体側領域との間に介在し、前記冷蔵庫本体側領域及び前記側部領域の両方に対して傾斜又は湾曲しているコーナー部領域と、を有し、
前記ドアポケットは、前記扉の幅方向と交差する方向に伸び、前記ドアポケットの内部を仕切ることで、前記側部領域の一方と前記コーナー部領域の少なくとも一部とに外周を囲まれるように構成された収容部を形成する第１仕切り部を有している、
冷蔵庫。
【請求項２】
前記第１仕切り部の前記冷蔵庫本体側の端部は、前記周板から離間して設けられている、
請求項１に記載の冷蔵庫。
【請求項３】
前記収容部は、前記扉の幅方向において前記ヒンジと反対側に設けられている、
請求項１又は２に記載の冷蔵庫。
【請求項４】
前記扉の幅方向に伸び前記収容部の内部を仕切る第２仕切り部を更に有する、
請求項１から３のいずれか一項に記載の冷蔵庫。
【請求項５】
前記ドアポケットは、前記冷蔵庫本体側領域の少なくとも一部と前記第１仕切り部の少なくとも一部とに外周を囲まれるように構成され前記第１仕切り部に対して前記収容部とは反対側に設けられ前記収容部よりも容積の大きい大収容部を更に有している、
請求項１から４のいずれか一項に記載の冷蔵庫。
【請求項６】
前記扉の幅方向に伸び前記収容部の内部を仕切る第２仕切り部と、
前記ドアポケットは、前記冷蔵庫本体側領域の少なくとも一部と前記第１仕切り部の少なくとも一部に外周を囲まれるように構成され前記第１仕切り部に対して前記収容部とは反対側に設けられ前記収容部よりも容積の大きい大収容部と、
前記扉の幅方向に伸び前記大収容部を仕切る中板と、を更に有し、
前記第２仕切り部における前記底板からの高さは、前記中板の高さよりも低い、又は前記冷蔵庫本体側領域の高さよりも低い、
請求項１から３のいずれか一項に記載の冷蔵庫。
【請求項７】
前記ドアポケットは、前記冷蔵庫本体側領域の少なくとも一部と前記第１仕切り部の少なくとも一部に外周を囲まれるように構成され前記第１仕切り部に対して前記収容部とは反対側に設けられ前記収容部よりも容積の大きい大収容部と、
前記扉の幅方向に伸び前記大収容部を仕切る中板と、を更に有し、
前記第１仕切り部における前記底板からの高さは、前記中板の高さよりも低い、又は前記冷蔵庫本体側領域の高さよりも低い、
請求項１から３のいずれか一項に記載の冷蔵庫。
【請求項８】
前記大収容部は、前記収容部の幅の３倍以上の幅を有する、
請求項５から７のいずれか一項に記載の冷蔵庫。
【請求項９】
前記扉は、右側に設けられた右扉と左側に設けられた左扉とにより構成され、前記右扉と前記左扉とは、一方の有する幅が他方の有する幅よりも狭くなるように構成されている、
請求項１から８のいずれか一項に記載の冷蔵庫。
【請求項１０】
前記収容部は、少なくとも、前記右扉と前記左側のうち、より狭い幅を有している扉の、前記より狭い幅を有している扉の幅方向において前記ヒンジとは反対側に設けられている、
請求項９に記載の冷蔵庫。
【発明の詳細な説明】
【技術分野】
【０００１】
本実施形態は、冷蔵庫に関する。
【背景技術】
【０００２】
従来、冷蔵庫の開口を開閉する扉には、ドアポケットが設けられており、このドアポケットには、例えば１リットル紙パックや２リットルペットボトルの飲料物、その他、ビン類や缶類などを収納できるようになっている。ドアポケットは、扉の閉状態において扉から突出している。そのため、冷蔵庫のドアポケットは、他の構造物との干渉を避けてスムーズに扉を開閉できるようにするため、扉の回転軌跡の外側の端部が傾斜又は湾曲して構成されている。
【０００３】
これに対し、一般的に飲料物等の容器は、その断面形状が矩形又は円形になっている。そのため、従来のドアポケットでは、上述した紙パックやペットボトル飲料物、その他、ビン類や缶類などをドアポケット端部の傾斜又は湾曲した面に沿って収納することができず、その結果、無駄な空間が生じてしまいドアポケット内の収納空間を有効利用することができていなかった。
【先行技術文献】
【特許文献】
【０００４】
【特許文献１】特開２０１０−０４３８０８号公報
【発明の概要】
【発明が解決しようとする課題】
【０００５】
そこで、ドアポケット内の収納空間を有効利用できる冷蔵庫を提供する。
【課題を解決するための手段】
【０００６】
実施形態の冷蔵庫は、前面開口部を有する冷蔵庫本体と、ヒンジを支点に回動し、前記前面開口部を開閉する扉と、前記扉の前記冷蔵庫本体側に設けられ容器状に構成されたドアポケットと、を有する。前記ドアポケットは、容器の底部を構成する底板と、容器の周囲を構成する周板と、を有する。前記周板は、前記扉の幅方向に伸び、前記ドアポケットの前記冷蔵庫本体側の面を構成する冷蔵庫本体側領域と、前記扉の幅方向と交差する方向に伸び、前記ドアポケットの左右の両端側の面を構成する左右の側部領域と、前記左右の側部領域のうち少なくとも一方と前記冷蔵庫本体側領域との間に介在し、前記冷蔵庫本体側領域及び前記側部領域の両方に対して傾斜又は湾曲しているコーナー部領域と、を有する。前記ドアポケットは、前記扉に対して垂直方向に伸び、前記ドアポケットの内部を仕切ることで、前記側部領域の一方と前記コーナー部領域の少なくとも一部とを外周面に含むように構成された収容部を形成する第１仕切り部を有している。
【図面の簡単な説明】
【０００７】
【図１】第１実施形態に係る冷蔵庫の扉を閉鎖した状態における構成例を概略的に示す正面図
【図２】第１実施形態に係る冷蔵庫の回動扉の構成例を概略的に示す斜視図
【図３】第１実施形態に係る冷蔵庫のドアポケットの構成例を概略的に示す斜視図
【図４】第１実施形態に係る冷蔵庫のドアポケットの構成例を概略的に示す平面図
【図５】第２実施形態に係る冷蔵庫のドアポケットの構成例を概略的に示す平面図
【発明を実施するための形態】
【０００８】
以下、複数の実施形態による冷蔵庫について、図面を参照して説明する。なお、各実施形態において実質的に同一の構成部位には同一の符号を付し、説明を省略する。
【０００９】
（第１実施形態）
一実施形態について図１から図４を参照して説明する。
図１に示すように、冷蔵庫１は、前面が開口した縦長矩形箱状の冷蔵庫本体１０内に、複数の貯蔵室を有して構成されている。以下の説明では、冷蔵庫本体１０の開口側を、冷蔵庫１の前側とし、開口とは反対側を、冷蔵庫１の後ろ側とする。また、冷蔵庫１を図１の姿勢で床面に設置した場合における重力方向に対する上下方向を、冷蔵庫１の上下方向とする。また、図１の冷蔵庫１を前側から見た場合における左右方向を、冷蔵庫１の左右方向とする。そして、本実施形態において、後述する回動扉１１１、１１２に設けられたドアポケット２０、３０について、「冷蔵庫本体１０側」とは、回動扉１１１、１１２の閉鎖状態を基準とした回動扉１１１、１１２に対する相対的な位置関係を意味するものとする。
【００１０】
図１に示すように、冷蔵庫１は、冷蔵庫本体１０を主体として構成されている。冷蔵庫本体１０は、前面が開口した断熱性を有する箱体で構成されており、内部に複数の貯蔵室を有している。冷蔵庫本体１０は、貯蔵物を貯蔵するための複数の貯蔵室として、例えば冷蔵室１１、野菜室１２、製氷室１３、小冷凍室１４、及び冷凍室１５を備えている。冷蔵室１１は、冷蔵庫本体１０の最上部に設けられている。野菜室１２は、冷蔵室１１の下方に設けられている。製氷室１３及び小冷凍室１４は、野菜室１２の下方にあって、左右に並べて設けられている。冷凍室１５は、製氷室１３及び小冷凍室１４の下方、つまり冷蔵庫本体１０の最下部に設けられている。
【００１１】
冷蔵室１１及び野菜室１２は、いずれも冷蔵温度帯の貯蔵室であり、例えば１〜４℃のプラス温度帯に維持される。冷蔵室１１と野菜室１２との間は、図示しない断熱仕切壁により上下に仕切られている。製氷室１３、小冷凍室１４、及び冷凍室１５は、いずれも冷凍温度帯の貯蔵室であり、例えば−１０℃〜−２０℃のマイナス温度帯に維持される。野菜室１２と、製氷室１３及び小冷凍室１４との間は、図示しない断熱仕切り壁により上下に仕切られている。
【００１２】
冷蔵庫１は、左右の回動扉１１１、１１２を備えている。左右の回動扉１１１、１１２は、冷蔵室１１の前面の開口を開閉するものであり、断熱性を有するヒンジ開閉式の扉であって、観音開き式に構成されている。左右の回動扉１１１、１１２は、冷蔵庫本体１０の前側の左右端に上下一組として設けられた左右のヒンジ１１３、１１４によって、冷蔵庫本体１０に回動可能に支持されている。
【００１３】
本実施形態では、左右の回動扉１１１、１１２は、それぞれの有する左右方向の幅に差異を持たせて構成されている。例えば、左側の回動扉１１１の幅は、右側の回動扉１１２の幅よりも小さい。なお、左右の回動扉１１１、１１２の幅の寸法関係は、上述したものと逆であっても良いし、左右の回動扉１１１、１１２の幅は同じであってもよい。また、冷蔵室１１の前面の開口を開閉する回動扉は、一方向又は両方向に回動可能な、つまり片開き又は両開きの一枚の扉であっても良い。
【００１４】
左右の回動扉１１１、１１２は、それぞれドアポケット２０、３０を１つ以上有している。本実施形態の場合、左右の回動扉１１１、１１２は、それぞれ複数、この場合それぞれ３つのドアポケット２０１〜２０３、３０１〜３０３を有している。各ドアポケット２０、３０は、例えばポリスチレン等の透明な合成樹脂製であって、飲料物の容器やその他の食料品等を収納可能に構成されている。なお、左側の扉１１１に設けられた各ドアポケット２０１〜２０３、及び右側の扉１１２に設けられた各ドアポケット３０１〜３０３は、それぞれ幅寸法や具体的な形状が共通していても良いし、異なっていても良い。以下では、図２から図４も参照して、左側の回動扉１１１が有するドアポケット２０１について説明する。
【００１５】
左側のドアポケット２０１は、図２に示すように、左側の回動扉１１１の下端部に設けられている。ドアポケット２０１は、図３及び図４に示すように、底板２１及び周板２２を一体に有しており、左側の回動扉１１１に取り付けられた状態で、全体として上側が開口した容器状となる。
【００１６】
底板２１は、ドアポケット２０１の底部を構成する。底板２１は、冷蔵庫１の設置面に対して水平又は左側の回動扉１１１から離れるにつれてやや下降するような傾斜状に構成されている。なお、底板２１は、一平面状に構成しても良いし、段差を設けて構成しても良い。本実施形態の場合、底板２１は、一平面状ではなく、左側の回動扉１１１側の面と、冷蔵庫本体１０側の面との二面からなる階段状に構成されている。すなわち、底板２１の左側の回動扉１１１側の面は、底板２１の冷蔵庫本体１０側の面を左側の回動扉１１１側に延長した面より下方に離間して設けられている。
【００１７】
周板２２は、ドアポケット２０１の外周面を構成する。周板２２は、図３に示すように、底板２１を左側の回動扉１１１側の一辺を除いて取り囲むように構成されている。周板２２は、冷蔵庫１の設置面に対して垂直方向又は略垂直方向に伸びて構成されている。周板２２は、１つの冷蔵庫本体側領域２２１と、２つの側部領域２２２と、１つのコーナー部領域２２３とを、一体に有する。
【００１８】
冷蔵庫本体側領域２２１は、左側の回動扉１１１の幅方向に伸び、左側のドアポケット２０の冷蔵庫本体１０側の面を構成し、左側の回動扉１１１から離間している。２つの側部領域２２２は、それぞれ左側の回動扉１１１の幅方向と交差する方向に伸びており、ドアポケット２０１の幅方向における左右の両端側の面を構成する。この場合、側部領域２２２が回動扉１１１の幅方向と交差する方向に伸びるとは、側部領域２２２を延長した領域が回動扉１１１の幅方向と交差することを意味する。すなわち、側部領域２２２を延長した領域と回動扉１１１とは角度を有して交差している。本実施形態の場合、２つの側部領域２２２は、それぞれ左側の回動扉１１１に対して垂直方向又は略垂直方向に伸びている。なお、側部領域２２２を延長した領域と回動扉１１１とは角度を有して交差していれば良く、必ずしも直交している必要はない。
【００１９】
左右の側部領域２２２は、その一端において、左側の回動扉１１１に接している。コーナー部領域２２３は、冷蔵庫本体１０側に設けられ、冷蔵庫本体側領域２２１と側部領域２２２との間に介在している。この場合、コーナー部領域２２３の両端部分は、それぞれ冷蔵庫本体側領域２２１及び側部領域２２２に接続されて滑らかに連続している。なお、冷蔵庫本体側領域２２１とコーナー部領域２２３、及びコーナー部領域２２３と側部領域２２２とは、必ずしも接続されている必要はなく、相互に離間して例えば１ｍｍ程度の僅かな隙間を有する構成であっても良い。
【００２０】
コーナー部領域２２３は、冷蔵庫本体側領域２２１と側部領域２２２とのいずれに対しても傾斜又は湾曲して構成されている。本実施形態の場合、コーナー部領域２２３は、冷蔵庫本体側領域２２１及び側部領域２２２に対して湾曲している。コーナー部領域２２３は、冷蔵庫本体側領域２２１の両端に設けても良いし、一端に設けても良い。本実施形態では、図３に示すように、コーナー部領域２２３は、左側の回動扉１１１の閉状態において右端、つまり左側の回動扉１１１の幅方向において、ヒンジ１１３と反対側の、反ヒンジ側に設けられている。冷蔵庫本体側領域２２１のうちコーナー部領域２２３が介在していない側の一端は、側部領域２２２と直接接続している。
【００２１】
本実施形態では、周板２２は、底板２１からの高さが、左側の回動扉１１１側よりも冷蔵庫本体１０側において低くなるように、上端部を傾斜させて構成されている。つまり、冷蔵庫本体側領域２２１の高さは側部領域２２２の高さよりも、低く構成されている。換言すれば、周板２２の上端部は、回動扉１１１側から冷蔵庫本体１０側へ向かって下降するように傾斜している。また、底板２１の上面から周板２２の上端部までの高さ寸法は、冷蔵庫本体側領域２２１において一定である。
【００２２】
ドアポケット２０１は、第１仕切り部２３、第２仕切り部２４、及び中板２５を有している。第１仕切り部２３は、ドアポケット２０の内部の空間を、回動扉１１１の幅方向に仕切っており、これにより回動扉１１１の幅方向に並ぶ空間を形成している。この場合、第１仕切り部２３は、左側の回動扉１１１の幅方向と交差する方向に伸び、左側のドアポケット２０内部を区画して、小収容部２６及び大収容部２７を形成する。この場合、左側の回動扉１１１の幅方向と交差する方向とは、回動扉１１１の幅方向と垂直である場合に限られず、回動扉１１１の幅方向と垂直な成分、すなわち、回動扉１１１の閉状態において冷蔵庫本体１０の前後方向に平行な成分を含む方向であればよい。
【００２３】
本実施形態では、第１仕切り部２３は、左側の回動扉１１１に対して垂直方向に伸びている。すなわち、第１仕切り部２３は、回動扉１１１の面に対して直交するように配置されている。なお、本実施形態において、第１仕切り部２３が回動扉１１１に対して垂直方向に伸びるとは、厳密に垂直である必要はなく、回動扉１１１の面に対して数度程度傾斜していても良い。
【００２４】
小収容部２６は、第１仕切り部２３に対してコーナー部領域２２３側に設けられた空間である。すなわち、小収容部２６は、その外周の一部を、第１仕切り部２３と、側部領域２２２の一方と、コーナー部領域２２３の少なくとも一部とによって囲まれた収容部である。ここで、外周の一部を側部領域２２２の一方とコーナー部領域２２３の少なくとも一部とによって囲まれているとは、側部領域２２２の一方とコーナー部領域２２３の少なくとも一部とを小収容部２６の外周面に含んでいる場合に限られず、それらによって規定される空間の内部に、小収容部２６が含まれている場合も含まれる。
【００２５】
本実施形態において、小収容部２６は、その外周面に、第１仕切り部２３と、側部領域２２２の一方と、コーナー部領域２２３の少なくとも一部とを含む。この場合、小収容部２６の外周面とは、ドアポケット２０自体の外周面に限らず、小収容部２６を構成する周囲の面を意味するものであり、周板２２に囲まれたドアポケット２０の内部に位置する面を含んでいても良い。また、本実施形態において、小収容部２６は、２つの側部領域２２２のうち一方、この場合、反ヒンジ側の側部領域２２２と、コーナー部領域２２３のうち反ヒンジ側の側部領域２２２に繋がる一部と、第１仕切り部２３と、で囲まれた空間である。
【００２６】
大収容部２７は、第１仕切り部２３に対して小収容部２６とは反対側に設けられた空間である。すなわち、大収容部２７は、その外周の一部を、前記冷蔵庫本体側領域の少なくとも一部と第１仕切り部の少なくとも一部とによって囲まれている。ここで、外周の一部を、前記冷蔵庫本体側領域の少なくとも一部と第１仕切り部の少なくとも一部とによって囲まれているとは、前記冷蔵庫本体側領域の少なくとも一部と第１仕切り部の少なくとも一部とを大収容部２７の外周面に含んでいる場合に限られず、それらによって規定される空間の内部に、大収容部２７が含まれている場合も含まれる。
【００２７】
本実施形態において、大収容部２７は、その外周面に、第１仕切り部２３と、冷蔵庫本体側領域２２１の少なくとも一部とを含む。この場合、大収容部２７の外周面とは、ドアポケット２０自体の外周面に限らず、大収容部２７を構成する周囲の面を意味するものであり、周板２２に囲まれたドアポケット２０の内部に位置する面を含んでいても良い。また、本実施形態において、大収容部２７は、２つの側部領域２２２のうち、小収容部２６の外周面を形成していない方である他方、この場合、ヒンジ側の側部領域２２２と、冷蔵庫本体側領域２２１と、コーナー部領域２２３のうち冷蔵庫本体側領域２２１に繋がる一部と、第１仕切り部２３と、で囲まれた空間である。
【００２８】
小収容部２６の収容容積は、大収容部２７よりも収容容積が小さく構成されている。つまり、大収容部２７の幅、すなわち左側の回動扉１１１の幅方向の寸法は、小収容部２６の幅よりも大きい。具体的には、大収容部２７の幅は、小収容部２６の幅の３倍以上である。
【００２９】
なお、ドアポケット２０１の左右両端にコーナー部領域２２３が設けられていても良い。この場合、小収容部２６は、その左右両方のコーナー部領域２２３に対応するように設けられても良いし、そのうち一方のコーナー部領域２２３、例えば反ヒンジ側のコーナー部領域２２３にのみ対応するように設けられていても良い。換言すれば、ドアポケット２０１の左右両端にコーナー部領域２２３が設けられている場合、第１仕切り部２３は、その左右両方のコーナー部領域２２３に対応するように設けられても良いし、そのうち一のコーナー部領域２２３にのみ対応するように設けられても良い。
【００３０】
すなわち、例えば本実施形態における左側のドアポケット２０１のように、幅方向の寸法が比較的短いものの場合、ドアポケット２０１は、１つの第１仕切り部２３を有する構成とすれば良い。そして、この１つの第１仕切り部２３は、ドアポケット２０１内を、扉１１１の幅方向に見て、第１仕切り部２３に対してコーナー部領域２２３側つまり反ヒンジ側にある小収容部２６と、第１仕切り部２３に対してヒンジ側にある大収容部２７と、に区画する。
【００３１】
一方、例えば右側のドアポケット３０１のように、幅方向の寸法が左側のドアポケット２０１より長いものの場合、ドアポケット３０１は、例えば２つの第１仕切り部を有することができる。この場合、ドアポケット３０１は、２つの第１仕切り部に挟まれた大収容部と、扉１１２の幅方向に見て大収容部の両外側に設けられた、つまり第１仕切り部と側部領域とに挟まれた２つの収容部と、を有する構成とすることができる。
【００３２】
ここで、第１仕切り部２３において、冷蔵庫本体１０側の端部を第１仕切り部２３の先端部２３１と称し、回動扉１１１側の端部を第１仕切り部２３の基端部２３２と称する。この場合、図４に示すように、第１仕切り部２３の先端部２３１は、周板２２から離間している。すなわち、第１仕切り部２３は、周板２２のコーナー部領域２２３と接していない。この場合、第１仕切り部２３の先端部２３１とコーナー部領域２２３との間の隙間の距離は、これに限定されないが、例えば０．５ｃｍ〜１．５ｃｍ程度である。
【００３３】
本実施形態において、第１仕切り部２３を冷蔵庫本体１０側に延長した線は、周板２２のコーナー部領域２２３と交差する。また、第１仕切り部２３の先端部２３１は、必ずしも周板２２から離間している必要なない。すなわち、第１仕切り部２３の先端部２３１は、周板２２のコーナー部領域２２３に突き当てられて接続されていても良い。また、第１仕切り部２３を冷蔵庫本体１０側に延長した線は、必ずしもコーナー部領域２２３と交差している必要はなく、冷蔵庫本体側領域２２１と交差する構成であっても良い。例えば第１仕切り部２３の先端部２３１は、周板２２の冷蔵庫本体側領域２２１に突き当てられて接続されていても良い。
【００３４】
第１仕切り部２３の基端部２３２は、ドアポケット２０１が回動扉１１１に設置された状態において、回動扉１１１と接するように構成されていても良く、また、回動扉１１１から離間して構成されていてもよい。本実施形態では、第１仕切り部２３の基端部２３２は、ドアポケット２０１が左側の回動扉１１１に設置された状態において、回動扉１１１と接するように構成されている。
【００３５】
第２仕切り部２４は、第１仕切り部２３で仕切られた小収容部２６内を更に２以上の空間に仕切るためのものである。本実施形態の場合、ドアポケット２０１は、複数、例えば３つの第２仕切り部２４を有している。具体的には、ドアポケット２０１は、冷蔵庫本体１０側から順に、第２仕切り部２４１〜２４３を有している。そして、各第２仕切り部２４１〜２４３は、小収容部２６の内部を更に４つの空間に仕切っている。なお、ドアポケット２０１は、１つの第２仕切り部２４を有し、小収容部２６内を２つの空間に区画する構成としても良い。
【００３６】
具体的には、第２仕切り部２４１〜２４３は、左側の回動扉１１１の幅方向に伸び、小収容部２６の内部を左側の回動扉１１１に対する垂直方向に仕切って４つの収容空間２６１〜２６４を形成している。なお、本実施形態において、単に小収容部２６と称した場合は、これら４つの収容空間２６１〜２６４を合わせた空間を意味している。
【００３７】
本実施形態では、第２仕切り部２４によって小収容部２６内に形成された４つの収容空間２６１〜２６４を、冷蔵庫本体１０側から順に、第１小収容部２６１、第２小収容部２６２、第３小収容部２６３、及び第４小収容部２６４、と称する。この場合、第１小収容部２６１は、その外周面にコーナー部領域２２３の一部を含んでいる。本実施形態では、複数の第２仕切り部２４のうち、最も冷蔵庫本体１０側に位置する第２仕切り部２４１は、その左端、つまり反ヒンジ側の端部において周板２２のコーナー部領域２２３と側部領域２２２との境目付近に接している。また、各第２仕切り部２４２、２４３の左端、つまり反ヒンジ側の端部は、周板２２の側部領域２２２と接している。第２仕切り部２４１〜２４３の右端、つまりヒンジ側の端部は、それぞれ第１仕切り部２３と接している。
【００３８】
中板２５は、第１仕切り部２３で仕切られた大収容部２７内を更に２以上の空間に仕切るためのものである。本実施形態の場合、ドアポケット２０１は、例えば１つの中板３５を有しており、大収容部２７の内部を更に２つの空間に仕切っている。具体的には、中板２５は、左側の回動扉１１１の幅方向に伸び、大収容部２７の内部を回動扉１１１に対する垂直方向に仕切って２つの収容空間２７１、２７２を形成している。
【００３９】
なお、本実施形態において、単に大収容部２７と称した場合は、これら２つの収容空間２７１、２７２を合わせた空間を意味している。また、本実施形態では、中板２５によって大収容部２７内に形成された２つの収容空間２７１、２７２を、冷蔵庫本体１０側から順に、第１大収容部２７１及び第２大収容部２７２と称する。
【００４０】
中板２５は、左側のドアポケット２０１の奥行、つまり左側の回動扉１１１に対する垂直方向の中心の位置よりも冷蔵庫本体側領域２２１側に位置している。すなわち、第１大収容部２７１及び第２大収容部２７２は、左側の回動扉１１１の開状態において、ユーザーから見た手前側と奥側とに配置されている。そして、本実施形態において、手前側の第１大収容部２７１の奥行寸法は、奥側の第２収容部２７２の奥行寸法よりも小さい。
【００４１】
なお、詳細は図示しないが、本実施形態において中板２５は、底板２１に設けられた段差部分から上方に突出して設けられている。すなわち、底板２１には、中板２５を左右方向つまり扉１１１の幅方向に延長した線を境とする段差が形成されている。そして、底板２１のうち扉１１１側部分は段差の上側に位置し、冷蔵庫本体１０側は段差の下側に位置している。
【００４２】
また、中板２５の幅方向の一方の端部は、周板２２の側部領域２２２に接している。また、中板２５の幅方向の他方の端部は、第１仕切り部２３と接している。この場合、中板２５は、３つの第２仕切り部２４のうち１つ、例えば３つの第２仕切り部２４のうち最も冷蔵庫本体１０側となる第２仕切り部２４に連続するように形成されている。また、本実施形態において、底板２１の上面から冷蔵庫本体側領域２２１の上端部までの高さ寸法は、底板２１の上面から周板２２の上端部までの高さ寸法の中で最も短くなっている。そして、周板２２の上面から中板２５の上端部までの高さ寸法は、底板２１の上面から冷蔵庫本体側領域２２１の上端部までの高さ寸法よりも短くなっている。すなわち、中板２５の高さ寸法は、周板２２の高さ寸法よりも短くなっており、中板２５は、周板２２の上端部から上方へは突出していない。
【００４３】
本実施形態の場合、第１仕切り部２３及び第２仕切り部２４の底板２１の上面からの高さは、中板２５の高さ及び冷蔵庫本体側領域２２１の高さのいずれよりも低く構成されている。すなわち、本実施形態では、冷蔵庫本体側領域２２１の底板２１の上面からの高さ寸法が最も長く、中板２５の高さ寸法が次に長く、第１仕切り部２３及び第２仕切り部２４の高さ寸法が最も短く構成されている。別の実施形態では、冷蔵庫本体側領域２２１の底板２１の上面からの高さ寸法が最も長く、第１仕切り部２３及び第２仕切り部２４の高さ寸法が次に長く、中板２５の高さ寸法が最も短く構成されていても良い。更に別の実施形態では、中板２５の底板２１の上面からの高さ寸法が最も長く、第１仕切り部２３及び第２仕切り部２４の高さ寸法が次に長く、冷蔵庫本体側領域２２１の高さ寸法が最も短く構成されていても良い。
【００４４】
また、第１仕切り部２３及び第２仕切り部２４は、底板２１の上面からの高さが一定でなくてもよい。例えば、本実施形態では、第１仕切り部２３は、中板２５との接点を境に底板２１の上面からの高さが変化している。つまり、第１仕切り部２３のうち、先端部２３１側は、基端部２３２側よりも低く構成されている。また、本実施形態では、複数設けられた第２仕切り部２４の底板２１の上面からの高さは、第１仕切り部２３のうち、先端部２３１側の高さ寸法と同じ高さ寸法に構成されている。
【００４５】
上述したように、本実施形態の冷蔵庫１のドアポケット２０１は、第１仕切り部２３を有している。第１仕切り部２３は、回動扉１１１に対して垂直方向に伸び、ドアポケット２０１の内部を仕切ることで、側部領域２２２の一方とコーナー部領域２２３の少なくとも一部とを外周面に含むように構成された小収容部２６を形成する。
【００４６】
これによれば、ドアポケット２０１のコーナー部領域２２３の内側に存在する狭い空間に、チューブ入り食品などの、小型の食品を収納できるようになる。第１仕切り部２３を有さない従来例の場合、チューブ入り食品などの小型の食品をコーナー部領域２２３の内側の狭い空間に収納しようとしても、仕切りがないために小型の食品が倒れてしまい、取り出すときに不便である。そのような事情があるため、当該空間は活用されず、無駄な空間となっていた。省エネのためにも、収納スペースを有効に活用して冷蔵庫を小型化することが望ましい。本実施形態では、第１仕切り部２３が小収容部２６を形成しているため、小収容部２６に収納した小型の食品が倒れ難くなり、簡便に取り出すことができる。そのため、従来例では無駄な空間となっていたコーナー部領域２２３の内側の空間を、小収容部２６として有効に利用することができる。
【００４７】
更に、第１仕切り部２３の冷蔵庫本体１０側の先端部２３１は、周板２２のコーナー部領域２２３から離間して設けられている。これにより、小収容部２６内部の清掃やメンテナンス等を行いやすくなる。すなわち、コーナー部領域２２３は、冷蔵庫本体側領域２２１と側部領域２２２とのいずれに対しても傾斜又は湾曲して構成されている。したがって、コーナー部領域２２３と第１仕切り部２３とが成す角度は、鋭角となる。
【００４８】
この場合、第１仕切り部２３がコーナー部領域２２３に接して設けられているとすると、第１仕切り部２３とコーナー部領域２２３との突き合わせ部分に汚れやほこりがたまり易くなる。更に、上述の突き合わせ部分は、鋭角となっているためユーザーの手指や清掃用具が入り難く、そのため、この突き合わせ部分に汚れやほこりがたまった場合には清掃が困難となり不衛生である。
【００４９】
一方、本実施形態では第１仕切り部２３とコーナー部領域２２３とが離間している。このため、第１仕切り部２３とコーナー部領域２２３との間には突き合わせ部分が存在しないため、汚れやほこりがたまり難い。更に、仮に第１仕切り部２３とコーナー部領域２２３との間に汚れやほこりがたまってしまっても、ユーザーは、第１小収容部２６１と第１大収容部２７１とに跨ってコーナー部領域２２３の内面に沿ってユーザーの手指や清掃道具を動かして清掃することができるため、その汚れやほこりを簡単に拭き取ることができる。その結果、ドアポケット２０を衛生的に保つことができる。
【００５０】
また、第１仕切り部２３とコーナー部領域２２３との距離が０．５ｃｍから１．５ｃｍであることから、ユーザーの手指や清掃用具を入れてメンテナンスすることができる一方で、食品入りのチューブなどの小型の食品が隙間を通り抜けて倒れてしまうことを抑制することができる。
【００５１】
更に、小収容部２６は、左側の回動扉１１１の幅方向において、ヒンジ１１３と反対側の、反ヒンジ側に設けられている。これにより、小収容部２６は、左側の回動扉１１１の開状態において、ユーザーに対して手前側に位置することになる。したがって、ユーザーにとって手が届きやすい位置となるため、簡単に小収容部２６から小型の食品を出し入れしたり、手軽に小収容部２６内を清掃したりすることができる。
【００５２】
更に、本実施形態の冷蔵庫１は、第２仕切り部２４を有している。第２仕切り部２４は、回動扉１１１の幅方向に伸び、小収容部２６の内部を回動扉１１１に対する垂直方向に仕切っている。これにより、小収容部２６内部が細かく区切られるため、複数の小型食品をそれぞれ個別に出し入れしやすく収容することができる。そのため、左側のドアポケット２０内が整理され、収納空間を更に有効利用することができる。また、小型の食品が複数収容されている場合、その一部を取り出しても、それによりその他の小型の食品が倒れてしまうことがなく、小型の食品を取り出すたびに左側のドアポケット２０内を整理し直すような手間がかからない。
【００５３】
また、左側のドアポケット２０１は、大収容部２７を更に有している。大収容部２７は、第１仕切り部２３の少なくとも一部を外周面に含むように構成され第１仕切り部２３に対して小収容部２６とは反対側に設けられている。そして、大収容部２７は、小収容部２６よりも容積が大きい。これによれば、小収容部２６にチューブ入り調味料等の小型食品を収納しつつ、大収容部２７に例えば１リットル紙パックや２リットルのペットボトル等の大型の食品を収納することができるため、ユーザーの利便性の向上が図られる。
【００５４】
また、第１仕切り部２３及び第２仕切り部２４は、その底板２１からの高さが、中板２５の高さ又は冷蔵庫本体側領域２２１の高さよりも低くなるように構成されている。これにより、大収容部２７に収容された食品を出し入れする際に、ユーザーの手が、第１仕切り部２３又は第２仕切り部２４にぶつかり難くすることができる。また、小収容部２６に収容された食品を出し入れする際にも、ユーザーの手が第２仕切り部２４にぶつかり難くすることができる。そのため、収納スペースの有効利用を図りつつ、収容された食品の取り出し性能を損なわない構成となっている。
【００５５】
大収容部２７の幅は、小収容部２６の幅の３倍以上である。すなわち、小収容部２６の幅は、大収容部２７の幅の１／３未満である。これにより、本実施形態の小収容部２６は、大収容部２７のための空間を必要以上に圧迫することがない。そのため、本実施形態の冷蔵庫１は、小型の食品を収納するための小収容部２６を備えつつも、例えば１リットル紙パックや２リットルのペットボトル等の、大型の食品の大収容部２７への収納をより確実にすることができる。
【００５６】
更に、本実施形態において、第１仕切り部２３は、周板２２のコーナー部領域２２３と交差する位置に設けられている。これによれば、大収容部２７を、冷蔵庫本体側領域２２１及び扉１１１の面に沿った全体として矩形形状にすることで、その容積を極力大きく確保することがきる。そのため、例えば断面が矩形の１リットル紙パックや２リットルペットボトル等の大型の収容物を大収容部２７へ収納し易くなり、また、収容する際に第１仕切り部２３が邪魔になることを抑制することができる。更に、本実施形態によれば、大収容部２７の容積を大きく確保しつつ、従来であれば無駄なスペースになり易かった曲面形状のコーナー部領域２２３に沿った空間を小収容部２６として活用することができるため、ドアポケット２０内の空間を有効活用でき、その結果、ユーザーの利便性の向上が図られる。
【００５７】
更に、本実施形態では、小収容部２６が設けられたコーナー部領域２２３は、左側の回動扉１１１に設けられている。この左側の回動扉１１１は、その幅が右側の回動扉１１２の幅よりも小さくなるように構成されている。幅が狭い左側の回動扉１１１は、幅の広い右側の回動扉１１２に比較して、その回転軌跡の回転半径が小さくなる。そのため、左側のドアポケット２０の半ヒンジ側の端部は、右側のドアポケット３０の半ヒンジ側の端部に比較して、その端部を一層大きく湾曲又は傾斜させる必要がある。
【００５８】
つまり、反ヒンジ側の端部を左側の回動扉１１１の回転軌跡の外側に突出しないようにして、左側の回動扉１１１の回動時に右側の回動扉１１２と干渉することを回避する必要がある。したがって、左側のドアポケット２０の半ヒンジ側の端部には、大型の食品を収容し難い。一方、本実施形態によれば、左側のドアポケット２０の半ヒンジ側端部に小収容部２６を設けることにより、従来例では有効利用できなかったコーナー部領域２２３を含む空間を、小型の食品の収容に有効利用することができる。
【００５９】
（第２実施形態）
冷蔵庫１のドアポケット２０１は、第１実施形態における第１仕切り部２３を有さない構成であっても良い。すなわち、本実施形態のドアポケット２０１は、複数の第２仕切り部２４を有しているが、第１仕切り部２３は有していない。この場合、第２実施形態のドアポケット２０１は、第２仕切り部２４を少なくとも１つ好ましくは３つ有している。そして、小収容部２６と大収容部２７とは、各第２仕切り部２４における側部領域２２２と接続していない側の端部２４４を繋いだ線及びその線の延長線によって実質的に区切られている。この場合、各第２仕切り部２４は、小収容部２６の内部を更に４つの空間に仕切っている。
【００６０】
これによれば、上記第１実施形態に比べて、収納時の小型食品の転倒防止性が劣る可能性があるものの、従来例では無駄な空間となっていたコーナー部領域２２３の内側の空間の有効利用という点では、上記第１実施形態と同等の効果を得ることができる。
【００６１】
以上、本発明の複数の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６２】
図面中、１は冷蔵庫、１０は冷蔵庫本体、１１は冷蔵室、１１１，１１２は左右の回動扉、１１３，１１４は左右のヒンジ、２０は左側のドアポケット、２１は底板、２２は周板、２２１は冷蔵庫本体側領域、２２２は側部領域、２２３はコーナー部領域、２３は第１仕切り部、２４は第２仕切り部、２５は中板、２６は小収容部、２７は大収容部、を示す。
【図１】
2020091062.tif 000003
【図２】
2020091062.tif 000004
【図３】
2020091062.tif 000005
【図４】
2020091062.tif 000006
【図５】
2020091062.tif 000007